(57)【要約】【課題】専用の回転電気機械組み立て装置を用いることなく固定子内部に回転子を正しく組み込むことができる回転電気機械及び回転電気機械の製造方法を提供する。【解決手段】回転電気機械において、永久磁石１３が設置された回転子１１を回転可能に支持するフランジ１５と、巻線１４が設置される固定子１２を支持するフレーム１６と、前記フレーム１６を前記フランジ１５に取り付ける際にガイドする前記フランジ１５に設置されたガイドボルト１９と、前記フレーム１６に形成された前記ガイドボルト１９が挿入されるガイド穴１６ａと、前記フランジ１５に周方向において均等な間隔で形成された４つの突起１と、それぞれの前記突起１を径方向に貫通し先端が前記フレームと接する４つのボルト２とを備えた。【選択図】図１
2012147590.tif 000002
【特許請求の範囲】
【請求項１】
永久磁石が設置された回転子を回転可能に支持するフランジと、
巻線が設置される固定子を支持するフレームと、
前記フレームを前記フランジに取り付ける際にガイドする前記フランジに設置されたガイドボルトと、
前記フレームに形成された前記ガイドボルトが挿入されるガイド穴と、
前記フランジに周方向において均等な間隔で形成された４つの突起と、
それぞれの前記突起を径方向に貫通し先端が前記フレームと接する４つのボルトと
を備える
ことを特徴とする回転電気機械。
【請求項２】
請求項１に記載の回転電気機械において、
４つの前記ボルトを締める又は緩めることにより前記固定子と前記回転子に設置される永久磁石との隙間を調整する
ことを特徴とする回転電気機械の製造方法。
【発明の詳細な説明】
【技術分野】
【０００１】
本発明は、回転電気機械及び回転電気機械の製造方法に関する。
【背景技術】
【０００２】
一般に、固定子の内部に回転子が配置される構成の電動機や発電機等の回転電気機械が知られている。
図３は、従来の回転電気機械の構成を示した断面図である。
図３に示すように、従来の回転電気機械は、回転子１１が設置されたシャフト１７を軸受け１８を介してフランジ１５に回転可能に設置した上で、巻線１４を有する固定子１２が設置されたフレーム１６をフランジ１５に取り付けることにより、固定子１２に対し回転子１１が回転可能に組み込まれている。
【０００３】
そして、従来の回転電気機械は、永久磁石１３が設置された回転子１１が固定子１２の内部に組み込まれる構成とするために、フレーム１６にガイド穴１６ａを設け、フランジ１５にガイドボルト１９を設けた上で、ガイド穴１６ａにガイドボルト１９を挿入することによりガイドしながらフランジ１５にフレーム１６を取り付ける構成となっている。なお、ガイド穴１６ａとガイドボルト１９との間には組み込みのための隙間が設けられている。
【０００４】
しかし、永久磁石１３の磁力が強いため、ガイド穴１６ａとガイドボルト１９との間の隙間の分だけフレーム１６が所定の設置位置からずれることにより、永久磁石１３と固定子１２がくっついてしまい、回転子１１を回転させられない状態となってしまう。このため、従来、回転電気機械の組み立て方法として、専用の回転電気機械組み立て装置を用いて回転電気機械を組み立てる回転電気機械の組み立て方法が知られている（例えば、下記特許文献１，２参照）。
【先行技術文献】
【特許文献】
【０００５】
【特許文献１】特開２０１０−２２６９５２号公報
【特許文献２】特開２００２−２１８７１３号公報
【発明の概要】
【発明が解決しようとする課題】
【０００６】
しかしながら、従来の回転電気機械の組み立て方法では、専用の回転電気機械組み立て装置を必要とするため、回転電気機械組み立て装置を用いるだけのスペースが必要となるという問題がある。
また、回転電気機械組み立てに際し、専用の回転電気機械組み立て装置を別途用意する必要があるため、回転電気機械の製造コストが増大してしまうという問題がある。
【０００７】
以上のことから、本発明は、専用の回転電気機械組み立て装置を用いることなく固定子内部に回転子を正しく組み込むことができる回転電気機械及び回転電気機械の製造方法を提供することを目的とする。
【課題を解決するための手段】
【０００８】
上記の課題を解決するための第１の発明に係る回転電気機械は、
永久磁石が設置された回転子を回転可能に支持するフランジと、
巻線が設置される固定子を支持するフレームと、
前記フレームを前記フランジに取り付ける際にガイドする前記フランジに設置されたガイドボルトと、
前記フレームに形成された前記ガイドボルトが挿入されるガイド穴と、
前記フランジに周方向において均等な間隔で形成された４つの突起と、
それぞれの前記突起を径方向に貫通し先端が前記フレームと接する４つのボルトと
を備える
ことを特徴とする。
【０００９】
上記の課題を解決するための第２の発明に係る回転電気機械の製造方法は、
第１の発明に係る回転電気機械において、
４つの前記ボルトを締める又は緩めることにより前記固定子と前記回転子に設置される永久磁石との隙間を調整する
ことを特徴とする。
【発明の効果】
【００１０】
本発明によれば、専用の回転電気機械組み立て装置を用いることなく固定子に回転子を正しく組み込むことが可能な回転電気機械及び回転電気機械の製造方法を提供することができる。
【図面の簡単な説明】
【００１１】
【図１】本発明の実施例に係る回転電気機械の断面図である。
【図２】本発明の実施例に係る回転電気機械の平面図である。
【図３】従来の回転電気機械の構成を示した断面図である。
【発明を実施するための形態】
【００１２】
以下、本発明に係る回転電気機械及び回転電気機械の製造方法を実施するための形態について、図面を参照しながら説明する。
【実施例】
【００１３】
以下、本発明に係る回転電気機械及び回転電気機械の製造方法の実施例について説明する。
図１は、本実施例に係る回転電気機械の構成を示した断面図である。また、図２は、本実施例に係る回転電気機械の構成を示した平面図である。なお、図１は、図２においてＡ−Ａで示した断面における断面図を示している。
【００１４】
図１，２に示すように、本実施例に係る回転電気機械は、回転子１１が設置されたシャフト１７を軸受け１８を介してフランジ１５に回転可能に設置した上で、巻線１４を有する固定子１２が設置されたフレーム１６をフランジ１５に取り付けることにより、固定子１２に対し回転子１１が回転可能に組み込まれている。
【００１５】
また、本実施例に係る回転電気機械は、永久磁石１３が設置された回転子１１が固定子１２の内部に組み込まれる構成とするために、フレーム１６にガイド穴１６ａを設け、フランジ１５にガイドボルト１９を設けた上で、ガイド穴１６ａにガイドボルト１９を挿入することによりガイドしながらフランジ１５にフレーム１６を取り付ける構成となっている。なお、ガイド穴１６ａとガイドボルト１９との間には組み込みのための隙間が設けられている。
【００１６】
さらに、本実施例に係る回転電気機械は、フランジ１５に周方向において均等な間隔で４つの突起１が形成されている。それぞれの突起１に径方向にねじ穴を形成し、このねじ穴にボルト２をねじ込むことにより、ボルト２が突起１を径方向に貫通しボルト２の先端がフランジ１５と接する構成とした。これにより、周方向において均等な間隔で４方向からボルト２によりフレーム１６を押すことができる。
【００１７】
そして、本実施例に係る回転電気機械及び回転電気機械の製造方法においては、４つのボルト２をそれぞれ締める又は緩めることによりフレーム１６を動かし、固定子１２と回転子１１に設置された永久磁石１３との間の隙間を調節することができるようにした。
【００１８】
このため、本実施例に係る回転電気機械及び回転電気機械の製造方法においては、周方向において均等な間隔で４方向からボルト２の締付力により固定子１２を動かすことができるため、固定子１２と回転子１１に設置された永久磁石１３が磁力によりくっついた状態から固定子１２と回転子１１との間に隙間のある状態にして、回転子１１を回転可能とすることができる。
【００１９】
したがって、本実施例に係る回転電気機械及び回転電気機械の製造方法によれば、専用の回転電気機械組み立て装置を用いることなく固定子内部に回転子を正しく組み込むことができる回転電気機械を提供することができる。
【産業上の利用可能性】
【００２０】
本発明は、例えば、固定子の内部に回転子が配置される構成の電動機や発電機等の回転電気機械及び回転電気機械の製造方法に利用することが可能である。
【符号の説明】
【００２１】
１  突起
２  ボルト
１１  回転子
１２  固定子
１３  永久磁石
１４  巻線
１５  フランジ
１６  フレーム
１６ａ  ガイド穴
１７  シャフト
１８  軸受け
１９  ガイドボルト
【図１】
2012147590.tif 000003
【図２】
2012147590.tif 000004
【図３】
2012147590.tif 000005